(57)【特許請求の範囲】
【請求項１】
妊婦の腹部の周りに巻装される帯本体を有する妊婦用腹帯であって、
前記妊婦用腹帯は、前記帯本体に固定される、妊婦の腹部を保護する腹部保護部を有し、当該腹部保護部と前記帯本体とにより少なくとも２重構造となり、
前記腹部保護部の下端は前記帯本体に止着され、前記腹部保護部の上端は前記帯本体に止着されずに自由端として構成され、
前記腹部保護部の上端は円弧形状であり、その一部が前記帯本体よりも上方に突出し、
前記腹部保護部の下端は前記帯本体の下端に縫着されるとともに、前記腹部保護部の上端のうちの前記帯本体よりも突出した部分以外の他の部分が前記帯本体に縫着される、妊婦用腹帯。
【発明の詳細な説明】
【技術分野】
【０００１】
本発明は、妊婦の腹部に装着される妊婦用腹帯に関する。
【背景技術】
【０００２】
従来より、妊婦の腰痛緩和を目的として構成された妊婦帯が存在する（例えば、特許文献１）。具体的には、特許文献１に記載の妊婦帯は、妊婦の背面側腰部の上端付近から下腹部にかけて斜め下方に向かって巻かれる帯状であって、その両端が前面側において互いに着脱可能になっている。当該妊婦帯は、背面側腰部の上端付近から下腹部に沿った方向に弾性力を有する下腹ベルト部と、下腹ベルト部の背面側に接続されると共に、妊婦の胸椎に沿って背面側に配置され、胸椎に沿った方向に弾性力を有する背中ベルト部と、背中ベルト部の上端部に接続されると共に、妊婦の肩部に掛けられることで肩部に対して位置決めされる肩ベルト部とを備える。このように、上記妊婦帯では、下腹ベルトによって妊婦の腹部を下方から支えている。
【先行技術文献】
【特許文献】
【０００３】
【特許文献１】特開２００８−１４４３１９号公報
【発明の概要】
【発明が解決しようとする課題】
【０００４】
しかしながら、上記特許文献１に記載の妊婦帯では、下腹ベルトによって妊婦の腹部を下方から支えることで腹部が大きくなることによる腰への負担を軽減するだけのものであり、妊婦の腹部にフィットして腹部を覆うものではなかった。
【０００５】
それ故、本発明の目的は、妊婦の腹部を支えると共に妊婦の腹部にフィットし易い妊婦用腹帯を提供することである。
【課題を解決するための手段】
【０００６】
本発明は、上記の課題を解決するために、以下の構成を採用した。
【０００７】
本発明の一例は、妊婦の腹部の周りに巻装される帯本体を有する妊婦用腹帯である。前記妊婦用腹帯は、前記帯本体に固定される、妊婦の腹部を保護する腹部保護部を有し、当該腹部保護部と前記帯本体とにより少なくとも２重構造となる。前記腹部保護部の下端は前記帯本体に止着され、前記腹部保護部の上端は前記帯本体に止着されずに自由端として構成される。
【０００８】
上記によれば、妊婦用腹帯は、帯本体と腹部保護部とにより２重構造となる。腹部保護部の下端は、帯本体と例えば縫着により固定され、腹部保護部の上端は固定されずに自由端として構成される。これにより、帯本体が長手方向に引っ張られても腹部保護部がそれに連動して引っ張られることなく、妊婦の腹部を覆いやすくすることができる。
【０００９】
なお、帯本体は、一体となった布地によって構成されてもよいし、複数の部材が例えば縫着されることによって構成されてもよい。また、帯本体は、筒状に形成されてもよいし、両端が着脱可能な帯状に形成されてもよい。
【００１０】
また、他の構成では、前記腹部保護部と前記帯本体とにより、上端部が開口した袋状部分が形成されてもよい。
【００１１】
上記によれば、腹部保護部と帯本体とにより袋状部分を形成することができ、帯本体を長手方向に引っ張っても腹部保護部をより自由に可動させることができる。また、袋状部分に、例えば懐炉等を挿入して腹部を温めることができる。
【００１２】
また、他の構成では、前記腹部保護部の上端は、前記帯本体の上端よりも上方に突出して設けられてもよい。
【００１３】
上記によれば、腹部保護部が帯本体よりも上方に突出しているため、妊婦の腹部を当該腹部保護部で覆うことができる。
【００１４】
また、他の構成では、前記腹部保護部には、当該腹部保護部の下端から当該腹部保護部の中央部分に向かって立体構造となる加工が施されてもよい。
【００１５】
上記によれば、立体構造により腹部保護部を妊婦の前方に突出させて、腹部の形状に合わせることができる。なお、立体構造にするためには、ダーツやタック等どのような加工が施されてもよい。
【００１６】
また、他の構成では、前記腹部保護部の上端は円弧形状であり、その一部が前記帯本体よりも上方に突出し、前記腹部保護部の下端は前記帯本体の下端に縫着されるとともに、前記腹部保護部の上端のうちの前記帯本体よりも突出した部分以外の他の部分が前記帯本体に縫着されてもよい。
【００１７】
上記によれば、腹部保護部の上端は円弧形状に形成される。腹部保護部は帯本体の下端と縫着されるとともに、腹部保護部の上端のうちの帯本体よりも突出した部分以外の部分が帯本体に縫着される。このため、帯本体を長手方向に引っ張った場合に腹部保護部の上端にかかる力が分散し易くなり、帯本体を長手方向に引っ張った場合に腹部保護部が妊婦の腹部にフィットし易くなる。
【発明の効果】
【００１８】
本発明によれば、妊婦用腹帯の前身ごろを帯本体と腹部保護部により２重構造にすることで、妊婦の腹部にフィットして腹部を覆いやすくすることができる。
【図面の簡単な説明】
【００１９】
【図１】本実施形態の妊婦用腹帯１の背面図
【図２】本実施形態の妊婦用腹帯１の正面図
【図３】本実施形態の妊婦用腹帯１の分解斜視図
【図４】本実施形態の妊婦用腹帯１の中央部分を背面から見た図
【図５】本実施形態の妊婦用腹帯１の使用状態を示す図
【図６】使用状態における妊婦用腹帯１にかかる収縮力の方向およびその大きさを模式的に示す図
【図７】他の実施形態における妊婦用腹帯５０の正面図
【発明を実施するための形態】
【００２０】
（本実施形態の妊婦用腹帯の構成）
以下、図面を参照しながら、一実施形態における妊婦用腹帯（妊婦帯）について、詳細な構成について説明する。図１は本実施形態の妊婦用腹帯１の背面図である。図２は、本実施形態の妊婦用腹帯１の正面図である。図３は、本実施形態の妊婦用腹帯１の分解斜視図である。
【００２１】
図１から図３に示すように、妊婦用腹帯１は、帯本体１０と、腹部保護部２０とを備える。帯本体１０は、幅（長手方向と垂直な方向の長さ）が長手方向にわたって略同じ長さの帯状の部材である。帯本体１０は、伸縮性を有する布地で構成され、妊婦の腹部の周りに巻装される。帯本体１０は、その上端１０４及び下端１０６が例えば略Ｖ字形状に構成されており、背面の中央部分（図１の中央線１０８を含む領域）において妊婦の腹部に当接される。
【００２２】
なお、帯本体１０は、伸縮性を有する１枚の帯状の布地で構成されてもよいし、例えば中央線１０８において左右の部分に分かれた２枚の布地が互いに縫着されて一体形成されることによって、図１に示す帯本体１０が構成されてもよい。また、複数の布地が重ね合わされて縫着されることで一体形成された１枚の布地によって、帯本体１０が構成されてもよい。
【００２３】
帯本体１０の左右両端部分には、係止部としての面ファスナー１０１、被係止部としての面ファスナー１０２が設けられる。具体的には、図１に示すように、帯本体１０の長手方向の一方端部の裏側には、フック状に密集して起毛された面ファスナー（オス）１０１が設けられる。また、図２に示すように、帯本体１０の長手方向の他方端部の表側には、ループ状に密集して起毛された面ファスナー（メス）１０２が設けられる。
【００２４】
帯本体１０は、その中央部分（中央線１０８を含む領域）の下端が妊婦の下腹部に当てられて当該妊婦の左右の脇腹を通って、妊婦の腰部において面ファスナー１０１、１０２によって固定される。妊婦用腹帯１が妊婦の腹部に巻装された場合、帯本体１０の中央部分は前身ごろとなる。
【００２５】
また、帯本体１０には、妊婦の腹部の膨らみに合うように当該帯本体１０の中央部分を立体的に形成するためのダーツ１０３が複数設けられる。具体的には、ダーツ１０３は、中央線１０８を中心として左右対称に設けられる。ダーツ１０３は、帯本体１０の下端１０６から中央部分（中央線１０８）に向かって伸びるようにして設けられる。このように、ダーツ１０３が設けられることによって、帯本体１０の中央部分は、腹部の膨らみに合うように前方に突出した立体構造となる。ダーツ１０３は、帯本体１０の下端１０６から上端１０４に向かって当該帯本体１０の上下方向に関して中央部分まで伸びる切り込みが入れられて、当該切り込みの切断部を縫合することによって形成される。
【００２６】
なお、帯本体１０の前身ごろを立体構造とするためには、ダーツ加工に限らない。例えば、伸縮性布地にひだを取ってつまみ縫いすることによって立体構造が形成されてもよい（タック等）。
【００２７】
次に、腹部保護部２０について説明する。図１から図３に示すように、帯本体１０の表側に設けられ、帯本体１０の中央部分（前身ごろ）に重ねられる。腹部保護部２０の下端２０４は、帯本体１０の下端１０６の形状と合うように下方に突出した略円弧形状に形成される。また、腹部保護部２０の上端（２０１と２０２とを合わせた部分）は、上方に突出した略円弧形状に形成される。
【００２８】
具体的には、腹部保護部２０の下端２０４は、帯本体１０の下端１０６と縫着される（図１の止着線１０７ａ上で縫い付けられる）。また、腹部保護部２０の上端は、その中央部分（図２の２０１）を除く左右の部分（図２の２０２）において、帯本体１０に縫着される（図１の止着線１０７ｂ上で縫い付けられる）。
【００２９】
腹部保護部２０の上端２０２は、腹部保護部２０と帯本体１０とを重ね合わせた場合に帯本体１０と重なる部分であり、当該上端２０２は、帯本体１０に縫着される。また、腹部保護部２０の上端２０１は、腹部保護部２０と帯本体１０とを重ね合わせた場合に帯本体１０と重ならない部分であり、当該上端２０１は、帯本体１０とは縫着されずに自由端として構成される。
【００３０】
また、腹部保護部２０には、帯本体１０と重ね合わせた場合に帯本体１０のダーツ１０３とほぼ重なる位置に、ほぼ同じ大きさ（長さ）のダーツ２０３が設けられる。これにより、腹部保護部２０は、妊婦の腹部に合うように前方に突出した立体構造となる。このように、帯本体１０と腹部保護部２０とを重ね合わせた場合に、その位置及び大きさが重なるようにしてダーツ１０３及びダーツ２０３が設けられることにより、妊婦の腹部の形状に合うように妊婦用腹帯１の前身ごろが全体として前方に突出した立体構造となる。
【００３１】
なお、腹部保護部２０は、ダーツ加工によらずに他の方法によって立体構造に形成されてもよい。また、帯本体１０のダーツ１０３と、腹部保護部２０のダーツ２０３とは必ずしも一致するように設けられる必要はない。
【００３２】
以上のように、妊婦用腹帯１は、帯本体１０と腹部保護部２０とが重ね合わされることによって、妊婦の腹部において２重構造となる。そして、帯本体１０の下端１０６と、腹部保護部２０の下端２０４とが縫着され、腹部保護部２０の上端２０２は、帯本体１０に縫着されずに自由端として構成される。詳細は後述するが、このような構成により、本実施形態の妊婦用腹帯１では、腹部保護部２０が妊婦の腹部にフィットして腹部を確実に覆うことができる。
【００３３】
また、妊婦用腹帯１では、帯本体１０と腹部保護部２０とによって、袋状部分が形成される。図４は、本実施形態の妊婦用腹帯１の中央部分を背面から見た図である。図４に示すように、帯本体１０と腹部保護部２０とが重ね合わされて下端において縫着されることにより、上部が開口した袋状部分２０５が形成される。当該袋状部分２０５には、懐炉５や加温冷却用のゲルが充填された体温調節材を挿入することが可能である。あるいは、妊婦の腹部への衝撃を和らげるクッション材や、電磁波を反射吸収する部材を袋状部分２０５に挿入してもよい。
【００３４】
次に、本実施形態の妊婦用腹帯１を妊婦の腹部に装着したときの様子と妊婦用腹帯１の構成による効果について説明する。図５は、本実施形態の妊婦用腹帯１の使用状態を示す図である。
【００３５】
妊婦用腹帯１は、妊婦の腹部の周りに直接又は下着等の上から装着される。具体的には、図５に示すように、妊婦用腹帯１の腹部保護部２０が妊婦の腹部３に当たるように妊婦用腹帯１が腹部に巻装される。より具体的には、腹部保護部２０の下端２０４が、妊婦の下腹部付近に当接される。当該下腹部から斜め上方に向かって帯本体１０が伸びて、妊婦の腰部４において面ファスナー（オス）１０１が面ファスナー（メス）１０２に重ねられて（図３参照）、妊婦用腹帯１が固定される。
【００３６】
伸縮性を有する帯本体１０が妊婦の下腹部から斜め上方に向かって伸びて腰部において固定されることにより、妊婦の下腹部から腰部に向かって斜め上方への力（長手方向への収縮力）が働き、妊婦の下腹部を上方に持ち上げることができる。また、腰部を前方に押し出す力が働くため、腰への負担を軽減することができる。また、腹部保護部２０によって妊婦の腹部を覆うことができ、腹部を衝撃から保護したり、腹部が冷えることを防止したりすることができる。
【００３７】
このように、妊婦用腹帯１の帯本体１０が長手方向に引き延ばされることによって妊婦の腹部を支えることができる。また、帯本体１０と腹部保護部２０とによって妊婦用腹帯１の前身ごろが２重構造となることにより、妊婦の腹部を覆い易くことができる。
【００３８】
ここで、使用状態における妊婦用腹帯１の各部に働く力について説明する。図６は、使用状態における妊婦用腹帯１にかかる収縮力の方向およびその大きさを模式的に示す図である。図６では、帯本体１０が長手方向に引っ張られることに起因する収縮力の方向およびその大きさが示されており、その他（例えば、妊婦の腹部が前方に隆起することによって妊婦用腹帯１が前方に引っ張られることに起因する力）は省略する。
【００３９】
図６に示すように、帯本体１０は長手方向に引っ張られるため、この引っ張り力に反して収縮しようとする力が帯本体１０の長手方向に働く。具体的には、帯本体１０の脇腹が当たる部分１０９（腹部保護部２０が重ならない部分）には、長手方向に比較的大きな収縮しようとする力Ａが働く。また、腹部保護部２０の下端２０４は帯本体１０の下端１０６と縫着されているため、腹部保護部２０の下端２０４には、力Ａと同程度の力Ｂが帯本体１０の長手方向に（下端２０４に沿って）働く。
【００４０】
一方、帯本体１０の脇腹が当たる部分１０９の上端では、同様に比較的大きな力Ａが働くが、腹部保護部２０と帯本体１０の上端１０４とは縫着されていないため、腹部保護部２０の上部側（腹部保護部２０の上下方向の中央よりも上部側；例えば帯本体１０の上端１０４の近傍）には、力Ａよりも小さな力Ｃが働く。これは、腹部保護部２０の上端２０１は帯本体１０に縫着されておらず、帯本体１０の上端１０４は腹部保護部２０に縫着されていないからである。すなわち、腹部保護部２０の上端および帯本体１０の上端１０４が自由端として構成されているからである。また、帯本体１０の上端１０４と腹部保護部２０の上端２０１とが交差する部分を境として、腹部保護部２０に働く力が長手方向と腹部保護部２０の上端２０１に沿う方向とに分散される。このため、腹部保護部２０に働く長手方向の力は、上方にいくに従って小さくなる。
【００４１】
例えば、図６に示す帯本体１０の上端１０４と重なる腹部保護部２０の領域においては、帯本体１０の上端１０４に働く長手方向の力よりも弱い力Ｃが長手方向に働く。また、腹部保護部２０の上端２０１には上端に沿って力Ｄが働くが、その力Ｄは、比較的弱い力となる。
【００４２】
このように、腹部保護部２０は下端２０４において帯本体１０に縫着され、上端２０１においては帯本体１０に縫着されずに自由端となるため、本実施形態の妊婦用腹帯１では、妊婦の腹部を下方からしっかりと支えることができるとともに、腹部保護部２０によって確実に腹部を覆うことができる。
【００４３】
すなわち、上述のように腹部保護部２０の下端２０４と帯本体１０の下端１０６とが縫着され、腹部保護部２０の上端２０１は帯本体１０に縫着されずに自由端となることにより、腹部保護部２０の下部は帯本体１０が長手方向へ引っ張られることに応じて引っ張られるが、腹部保護部２０の上部は帯本体１０とは連動しにくく、独立して可動する。このため、腹部保護部２０の上部では、帯本体１０が長手方向に引っ張られることによる影響が小さく、妊婦の腹部が前方に隆起することによる影響の方が大きくなり、腹部保護部２０の上部は、妊婦の腹部によって引っ張られて変形する。
【００４４】
従って、腹部保護部２０によって妊婦の腹部をより確実に覆うことができる。また、腹部保護部２０の上部は、帯本体１０が長手方向に引っ張られることによる力の影響が小さいため、妊婦の腹部を過度に締め付けないようにすることができる。
【００４５】
例えば、妊婦用腹帯が本実施形態のような２重構造ではなく、帯本体のみで構成されていると、図６の隆起した腹部の部分３１まで覆うことができない。また、妊婦用腹帯が帯本体のみで構成されて、当該帯本体が腹部の部分３１まで覆うようにその上端が形成されている場合、帯本体が長手方向に引っ張られると、帯本体の腹部を覆う領域（前身ごろ）もまた長手方向の力に応じて引っ張られる。すると、妊婦の腹部に合うように妊婦用腹帯が変形しない場合がある。例えば、前身ごろの上端が表または裏側にめくれたりする場合がある。
【００４６】
しかしながら、本実施形態の妊婦用腹帯１では、帯本体１０と腹部保護部２０とによって前身ごろが２重構造となり、前身ごろにおける腹部保護部２０の上端が帯本体１０の上端よりも上方に突出して設けられる。そして、腹部保護部２０の上端は帯本体１０に止着されずに自由端となる。これにより、腹部保護部２０が帯本体１０とは独立して変形し易く、腹部の形状に合うように変形して、腹部を覆うことができる。
【００４７】
また、本実施形態の妊婦用腹帯１では、前身ごろを２重構造にして上部が開口した袋状部分２０５が形成されるため、当該袋状部分に例えば懐炉等を挿入して腹部を温めることができる。
【００４８】
また、本実施形態では、腹部保護部の上端は略円弧形状に形成される。そして、当該円弧の一部（中央部分；２０１）が帯本体の上端よりも上方に突出し、他の部分（両端部分；２０２）が帯本体に止着される。このため、帯本体より上方に突出した腹部保護部の上端近傍では帯本体の長手方向への引っ張り力が分散され易くなり、腹部保護部が妊婦の腹部にフィットし易くなる。
【００４９】
以上のように、本実施形態の妊婦用腹帯１では、妊婦の腹部を下方からしっかりと支えつつ、腹部を過度に締め付けること無く、腹部にフィットして確実に腹部を覆うことができる。
【００５０】
（変形例）
なお、上記実施形態は単なる一例であり、例えば以下に説明するように種々の変形が行われてもよい。
【００５１】
例えば、上記実施形態では、帯本体１０を略Ｖ字形状としているが、他の実施形態では、どのような形状であってもよい。また、腹部保護部２０の形状もどのような形状であってもよい。
【００５２】
図７は、他の実施形態における妊婦用腹帯５０の正面図である。妊婦用腹帯５０は、帯本体６０と、腹部保護部７０とを備える。例えば、図７に示すように、他の実施形態では妊婦用腹帯は下方が凸状となった略Ｕ字形状に形成されてもよい。また、他の実施形態では、略円弧であってもよいし、帯部が湾曲していなくてもよい。
【００５３】
また、上記実施形態では、帯本体は両端において面ファスナーが設けられ、当該面ファスナーによって係止されることで、使用時に筒状となるように構成された。他の実施形態では、他の任意の係止部材によって両端が係止されてもよい。また、筒状の部材によって帯本体が形成されてもよい。
【００５４】
また、上記実施形態では、腹部保護部を帯本体に縫い付けることにより止着したが、他の実施形態では、他の任意の方法（テープ等による貼付や接着剤を用いる方法等）によって腹部保護部を帯本体に止着してもよい。
【００５５】
また、上記実施形態では、一体形成された帯本体１０の妊婦の腹部が当たる部分に腹部保護部２０を縫い付けることによって、妊婦用腹帯１が形成された。他の実施形態では、３つ以上の部材によって帯本体及び腹部保護部が形成されてもよい。例えば、妊婦の腹部に当てられる第１部材と、第１部材の前面（妊婦と反対側の面）に重ね合わされる第２部材（例えば、上記腹部保護部２０と同型の伸縮性を有する部材）と、妊婦の脇腹から背中にかけて設けられる第３部材とによって妊婦用腹帯が形成されてもよい。第２部材の下端は第１部材の下端に止着され、第２部材の上端は第１部材に止着されずに自由端となる。また、第３部材は、第１及び第２部材の両端から延設される。すなわち、妊婦の腹部に当てられる第１部材と妊婦の脇腹から背中にかけて当てられる第３部材とによって、上記帯本体が形成され、第２部材によって腹部保護部が形成されてもよい。
【００５６】
また、上記実施形態では、妊婦用腹帯１をインナーウェアとして腹部の上に巻装されるとしているが、他の実施形態として、妊婦用腹帯１に装飾を施したり、アウターウェアで採用されるような色彩とすることによって、上着の上で巻装してもよい。
【符号の説明】
【００５７】
１        妊婦用腹帯
１０      帯本体
１０１    面ファスナー（オス）
１０２    面ファスナー（メス）
１０３    ダーツ
１０４    帯本体の上端
１０６    帯本体の下端
１０７ａ  止着線
１０７ｂ  止着線
２０      腹部保護部
２０１    腹部保護部の上端
２０２    腹部保護部の上端
２０３    ダーツ
２０４    腹部保護部の下端
２０５    袋状部分
３        腹部
４        腰部
５        懐炉
【要約】
【課題】妊婦の腹部を支えると共に妊婦の腹部にフィットし易い妊婦用腹帯を提供すること。
【解決手段】妊婦用腹帯１は、帯本体１０と腹部保護部２０とを備える。腹部保護部の下端は帯本体の下端と重ね合わされて縫着される。また、腹部保護部の上端は、その一部が帯本体の上端よりも突出しており、腹部保護部の上端は、帯本体には縫着されずに自由端として構成される。これにより、帯本体が長手方向に引っ張られても腹部保護部の上端部分はそれに連動して変形し難くなり、妊婦の腹部にフィットし易くなって腹部を覆うことができる。
【選択図】図１【図１】
0005466774.tif 000002
【図２】
0005466774.tif 000003
【図３】
0005466774.tif 000004
【図４】
0005466774.tif 000005
【図５】
0005466774.tif 000006
【図６】
0005466774.tif 000007
【図７】
0005466774.tif 000008